(57)【要約】      （修正有）【課題】細長で屈曲自在で疑似ネオン用の照明を発光できる軟質ＬＥＤライン照明管を提供する。【解決手段】細長で屈曲自在の軟質アクリル樹脂からなる防水加工された不透明軟質被覆管１の内部にはＬＥＤ発光素子を保持する主発光拡散体２が複数箇所一定の距離間隔で（例えば、１０ｍｍ）配置する。さらに、低硬度シリコーンゴムによりインサート成形され、防水性能を有する櫛型形状に整列される主発光拡散体２と不透明軟質被覆管１との間の空間には表面を鏡面仕上げした反射用薄型アルミ側面挿入板３ａ，３ｂ等を配設して屈曲自在の照明管を形成する。【選択図】図１
0003179671.tif 000002
【実用新案登録請求の範囲】
【請求項１】
全光線及び疑似ネオン管照明風の光を拡散発光する細長で屈曲自在の形態からなる軟質ＬＥＤライン照明管であって、該照明管は、断面形状として頂部に発光線透過率の高い半円部とその下方に一体的に形成される遮光着色部とを形成する形態の細長で屈曲自在で防水性能を有する不透明軟質被覆管と、該被覆管内に所定の隣接距離間隔で複数個配設されＬＥＤ発光素子を有し防水性能を有する主発光拡散体と、該拡散体の外面側と前記遮光着色部の内面側との間の空間内及び前記主発光拡散体の底面側に配置される反射用薄型アルミ側面挿入板及び反射用薄型アルミ底面挿入板とを設けることを特徴とする軟質ＬＥＤライン照明管。
【請求項２】
前記主発光拡散体が、放射状の光を双互に交光し得る隣接距離間隔で配置されるものからなることを特徴とする請求項１に記載の軟質ＬＥＤライン照明管。
【請求項３】
前記隣接距離間隔が１０ｍｍであることを特徴とする請求項２に記載の軟質ＬＥＤライン照明管。
【請求項４】
前記反射用薄型アルミ側面挿入板及び前記反射用薄型アルミ底面挿入板がその表面側を鏡面仕上げしたものからなることを特徴とする請求項１に記載の軟質ＬＥＤライン照明管。
【請求項５】
前記反射用薄型アルミ側面挿入板が前記ＬＥＤ発光素子と対応するその頂部側に外面に向かって傾斜する傾斜面を形成するものからなることを特徴とする請求項１又は請求項４に記載の軟質ＬＥＤライン照明管。
【請求項６】
前記不透明軟質被覆管の前記半円部を軟らかい乳白色に着色して、発光線透過率が９０％前後にしてネオン風効果を発揮させたことを特徴とする請求項１に記載の軟質ＬＥＤライン照明管。
【請求項７】
前記ＬＥＤ発光素子が低硬度シリコーンゴムによりインサート成形により保持され、防水性能を有することを特徴とする請求項１に記載の軟質ＬＥＤライン照明管。
【考案の詳細な説明】
【技術分野】
【０００１】  本考案は、軟質で屈曲自在で疑似ネオン管風の照明を発光する軟質ＬＥＤライン照明管に関する。
【背景技術】
【０００２】  屈曲自在でネオン管風の照明光を発光する軟質照明管としては各種のものがあるが、本考案に比較的似ているものとして「特許文献１」が挙げられる。
【先行技術文献】
【特許文献】
【０００３】
【特許文献１】実用新案登録第３１０４７２０号（図１）
【０００４】  「特許文献１」の「実用新案登録第３１０４７２０号」の「軟性チューブライト」は、軟性のプラスチック材からなる中心部（２）と中心部（２）に設置される発光ダイオード（４ａ），（４ｂ）と、中心部（２）の上方に設置される光拡散体（８）と、中心部（２）や光拡散体（８）を被覆する不透明被覆管（１６）等から構成され、構成要素としては後に説明する本考案の軟質ＬＥＤライン照明管と似ているものもあるが、疑似ネオン管照明風の照明を発光する点や反射用薄型アルミ側面挿入板等の反射光を放射状に発光させる点や中心部及び遮光着色部が一体的に形成される構造体から形成される点等において大きく相違するものである。
【考案の概要】
【考案が解決しようとする課題】
【０００５】  発光線透過率が高く、かつ疑似ネオン管風の照明光を発光させるには不透明ではあるが発光線透過率の高い形状の半円部と遮光のための着色を施している遮光着色部とを一体的に形成してなる不透明軟質被覆管とこの内部にＬＥＤ発光素子を光の散乱を良好するような形状で配置する主発光拡散体が必要であり、更に主発光拡散体を複数個隣接して配置し放射状の光を互いに交叉させる工夫が必要である。また、更にＬＥＤ発光素子からの光をより拡散発光させるための反射板の如きものが必要である。更に、ネオン用途分野に不可欠な防水性能を持つことが必要である。
本考案は、以上の構成上の内容をコンパクトにまとめた形状のものからなり、取扱い性もよく、屈曲自在のために各種の用途に適用可能な軟質ＬＥＤライン照明管を提供することを目的とするものである。
【課題を解決するための手段】
【０００６】  本考案は、以上の目的を達成するために、請求項１の考案は、全光線及び疑似ネオン管照明風の光を拡散発光する細長で屈曲自在の形態からなる軟質ＬＥＤライン照明管であって、該照明管は、断面形状として頂部に発光線透過率の高い半円部とその下方に一体的に形成される遮光着色部とを形成する形態の細長で屈曲自在で防水性能を有する不透明軟質被覆管と、該被覆管内に所定の隣接距離間隔で複数個配設されＬＥＤ発光素子を有し防水性能を有する主発光拡散体と、該拡散体の外面側と前記遮光着色部の内面側との間の空間内及び前記主発光拡散体の底面側に配置される反射用薄型アルミ側面挿入板及び反射用薄型アルミ底面挿入板とを設けることを特徴とする。【０００７】  また、請求項２の考案は、前記主発光拡散体が、放射状の光を双互に交光し得る隣接距離間隔で配置されるものからなることを特徴とする。【０００８】  また、請求項３の考案は、前記隣接距離間隔が１０ｍｍであることを特徴とする。【０００９】  また、請求項４の考案は、前記反射用薄型アルミ側面挿入板及び前記反射用薄型アルミ底面挿入板がその表面側を鏡面仕上げしたものからなることを特徴とする。【００１０】  また、請求項５の考案は、前記反射用薄型アルミ側面挿入板が前記ＬＥＤ発光素子と対応するその頂部側に外面に向かって傾斜する傾斜面を形成するものからなることを特徴とする。【００１１】  また、請求項６の考案は、前記不透明軟質被覆管の前記半円部を軟らかい乳白色に着色して、発光線透過率が９０％前後にしてネオン風効果を発揮させたことを特徴とする。【００１２】  また、請求項７の考案は、前記ＬＥＤ発光素子が低硬度シリコーンゴムによりインサート成形により保持され、防水性能を有することを特徴とする。
【考案の効果】
【００１３】  請求項１乃至４及び請求項６の軟質ＬＥＤライン照明管によれば、主発光拡散体内のＬＥＤ発光素子の作動により、細長で軟質の不透明軟質被覆管の中心部から透明率の高い（９０％以上）全光線が発光されると共に遮光着色部から疑似ネオン管風の照明光が発光され、互いに隣接（１０ｍｍ）する主発光拡散体から放射状の光が交叉して発光され、全体として明るいネオン風の光を強力発光することができる。更に反射用薄型アルミ側面挿入板や底面挿入板の鏡面反射作用により、より明るい光を発光させることができる。また、不透明軟質被覆管は屈曲自在のため各種の形態の発光管として適用することができる。また、不透明軟質被覆管と主発光拡散体は防水性能を有するため、雨天や水のある場所においても十分に適用される。【００１４】  また、請求項５の軟質ＬＥＤライン照明管によれば、反射用薄型アルミ側面挿入板の頂部側に傾斜面を形成することによりＬＥＤ発光素子からの光の拡散効果を向上させることができると共に全体組立ての容易化を図ることができる。【００１５】  また、請求項７の軟質ＬＥＤライン照明管によれば、ＬＥＤ発光素子を低硬度シリコーンゴムによりインサート成形により保持することにより、ＬＥＤ発光素子の防水性能と安定保持化が出来、不透明軟質被覆管の屈曲形態に対しても安定保持出来る効果が上げられる。
【図面の簡単な説明】
【００１６】
【図１】本考案の軟質ＬＥＤライン照明管の全体構造を示す斜視図。
【図２】本考案の軟質ＬＥＤライン照明管の全体構造の詳細構造を示す縦断面図。
【図３】不透明軟質被覆管の縦断面図（ａ）及びその側面図（ｂ）。
【図４】主発光拡散体の縦断面図（ａ）及び櫛型に低硬度シリコーンゴムにより一体にインサート成形により整列保持されて防水性能も有する屈曲自在で細長な主発光拡散体の側面図（ｂ）及び側面図（ｂ）の上面図（ｃ）。
【図５】反射用薄型アルミ側面挿入板及び反射用薄型アルミ底面挿入板の縦断面図（ａ）及び左右の反射用薄型アルミ側面挿入板の側面図（ｂ）。
【考案を実施するための形態】
【００１７】  以下、本考案の軟質ＬＥＤライン照明管の実施の形態を図面を参照して詳述する。
【００１８】  図１は軟質ＬＥＤライン照明管１００の全体構造を示す。軟質ＬＥＤライン照明管１００は細長で屈曲自由の不透明軟質被覆管１と、この内部に収納されている複数個で櫛型に整列保持されて屈曲自在で細長な主発光拡散体２と、主発光拡散体２の側面や底面に配設される左右の反射用薄型アルミ側面挿入板３ａ，３ｂと主発光拡散体２の底面に配設されている反射面薄型アルミ底面挿入板３ｃと、導電線５等とから構成される。
【００１９】  図２は軟質ＬＥＤライン照明管１００の縦断面図であり構成要素の詳細構造を示すものである。
【００２０】  まず、不透明軟質被覆管１は図２及び図３（ａ），（ｂ）に示すものからなる。
頂部には不透明色の中空球体状の半円部１ａが形成され、その下方には角体状の遮光着色部１ｂが一体的に形成され、防水性能を有するこれ等は例えば軟質アクリル樹脂から形成されるものからなる。
【００２１】  半円部１ａは前記のように軟らかい乳白色に着色して、発光線透過率が９０％前後にしてネオン風効果を発揮させたものからなる。
一方、遮光着色部１ｂは前記のように角状で下方に底上部１ｃを形成したものからなり、遮光のため着色したものからなる。この着色により不透明軟質被覆管１から疑似ネオンの照明光が照光される。
【００２２】  図２及び図４（ａ）に示すように主発光拡散体２は、低硬度シリコーンゴム６によりインサート成形されその頂部に保持されているＬＥＤ発光素子４とこれ等を囲む不透明枠体７等とからなり、ＬＥＤ発光素子４には導電線５（図１，図３，図４）が連結される。
また、ＬＥＤ発光素子４は上面を平坦状にした櫛型形状のものからなり、発光量の増大化を図るようにしている。
【００２３】  図４（ｂ）及び（ｃ）に示すように、主発光拡散体２は複数個直列に配置され、その隣接距離間隔ｐは、例えば１０ｍｍのものからなる。これは隣接する主発光拡散体２，２からの放射状の光が交叉して照光度をより向上させる効果を生じさせるためである。
【００２４】  図５（ａ）は左右の反射用薄型アルミ側面挿入板３ａ，３ｂと反射用薄型アルミ底面挿入板３ｃの断面形状を夫々示すものである。
図示のように、これ等は軟質アルミ板を積層した比較的薄肉のプレートからなり、その表面は鏡面仕上げされ光の拡散効果は色合いの変化を与えるようにしている。
また、左右の反射用薄型アルミ側面挿入板３ａ，３ｂはその頂部側に傾斜面８を形成するものからなり、ＬＥＤ発光素子４側への反射光を有効に誘導すべく機能させるようにしている。
なお、この反射用薄型アルミ側面挿入板３ａ，３ｂは反射機能の他に主発光拡散体２等の照明本体の挿入の容易化を図るためのものである。
【００２５】  以上の形状の軟質ＬＥＤライン照明管１００はＬＥＤの発色に応じた色のネオン管とし各箇所に適用されるほか、その屈曲性の形状により字体や画像の一部としても適用される。
【００２６】  本考案の軟質ＬＥＤライン照明管１００は以上の説明の内容のものからなるが、勿論、その内容に限定するものでなく、同一技術的範疇のものが適用されることは勿論である。
【産業上の利用可能性】
【００２７】  本考案の軟質ＬＥＤライン照明管は前記のようにその屈曲性と照明の美観と照明性の向上の面から各所の照明管として適用され、字体，画像，絵画にも適用され、その利用範囲は極めて広い。
【符号の説明】
【００２８】１    不透明軟質被覆管
１ａ  半円部
１ｂ  遮光着色部
１ｃ  底上部
２    主発光拡散体
３ａ  反射用薄型アルミ側面挿入板（左）
３ｂ  反射用薄型アルミ側面挿入板（右）
３ｃ  反射用薄型アルミ底面挿入板
４    ＬＥＤ発光素子
５    導電線
６    低硬度シリコーンゴム
７    不透明枠体
８    傾斜面
【図１】
0003179671.tif 000003
【図２】
0003179671.tif 000004
【図３】
0003179671.tif 000005
【図４】
0003179671.tif 000006
【図５】
0003179671.tif 000007